(57)【要約】　　　（修正有）【課　　題】パソコンの現在の動作状況や動作環境を常時表示する。【解決手段】コンピュータにおけるメモリとハードディスクの稼動率などを、それらの容量に対する記憶データ量の比率などを示す数値表示などによって液晶パネル等により形成した表示部２に表示させる。【選択図】　　図２
0003097022.tif 000002
【実用新案登録請求の範囲】
【請求項１】
パソコン等のコンピュータにおける少なくともメモリとハードディスクの稼動率などを、それらの容量に対する記憶データ量の比率などを示す数値表示などによって液晶パネル等により形成した表示部に表示させるようにしたことを特徴とするコンピュータの現在状況の表示装置。
【請求項２】
表示部の表示は前記メモリ，ハードディスクの現在状況のほか、現在のＣＰＵの稼動率、当該パソコン等を使用した送，受信における夫々のデータ量、通信網への接続時間、当該パソコン等の本体の内部温度、空冷ファンの稼動状態などの少なくとも一つ乃至全部をそれぞれ前記表示部に表示させるようにした請求項１のコンピュータの現在状況の表示装置。
【請求項３】
表示部は５インチ程度の液晶パネルにより形成すると共に、その表示面に上記各表示事項の表示エリアを設定し、この表示部をパソコン等の本体前面に着脱可能な掛止手段などにより配置するようにした請求項１又は２のコンピュータの現在状況の表示装置。
【請求項４】
表示部は、スタンド式に立てて配置できるように形成した請求項１又は２のコンピュータの現在状況の表示装置。
【請求項５】
表示部は、パソコン等の本体に離，切自在に接続するように形成した請求項３又は４のコンピュータの現在状況の表示装置。
【請求項６】
表示部は、パソコン等のコンピュータが具備したＣＲＴや液晶画面などのディスプレイ画面の一角に配置した請求項１又は２のコンピュータの現在状況の表示装置。
【請求項７】
各表示事項の表示は、数値又は適宜形式のグラフ状の表示により行い、かつ、表示内容に対応して表示色を変えて表示するようにした請求項１〜６のいずれかのコンピュータの現在状況の表示装置。
【考案の詳細な説明】
【０００１】
【考案の属する技術分野】
本考案はコンピュータ、特にパーソナルコンピュータ（以下、パソコンという）に適用して好適な当該パソコンを含むコンピュータのハード構成部材の現在状況を、外部から視れば直ちに判読することができるようにした表示装置に関する。
【０００２】
【従来の技術】
コンピュータはその考案から発展の歴史を見ると、きわめて専門的かつ高度な技術分野において発祥し、時代の経過と共にミニコンピュータ、パソコンと普及して来た関係もあって、一人一台といわれるパソコン時代の今日においても、そのハード構成については、一般のいわゆる家電製品やオーディオ，ビデオ製品のように、いわば素人が容易に取扱えるレベルにはない。
【０００３】
しかし、パソコンでは、例えばメモリの容量やハードディスクの容量が抱和近くになると、動作トラブルが多発することが経験的に知られているが、当該パソコンの使用者は前記メモリやハードディスクの容量がどれ程あるのか、或は、現在そのメモリやハードディスクにどの程度の量のデータが入っているのかとか、どの程度の余裕容量があるかなどの認識が無かったり、或は、使用時にかかる事項を意識することが少ないため、実際には使用時にメモリやハードディスクの容量オーバ等に起因する動作トラブルが生じることを知るに止まっている。
【０００４】
パソコンの動作トラブルは、上記メモリやハードディスクの容量に起因するのみならず、他の要因によるものも多いが、パソコン使用者はそのようなトラブルが何故発生したかを知ることは、殆んどできないでいる。それはパソコンの動作トラブルの大半が、そのパソコンがいわゆるフリーズ状態になって全く動作しなくなり、原因の何如に拘らず、再起動により対処するのが大半だからである。しかし、再起動しても動作トラブルの原因が除去，改善されなければ、やがて再びフリーズしてしまうこともしばしばである。
【０００５】
【考案が解決しようとする課題】
そこで本考案は、コンピュータ、特にパソコンにおけるハード構成側の現在の状況を一目すれば誰でも判るように表示し、当該パソコンの現在の動作状況や動作環境を常時表示することにより、仮にも動作トラブルが生じたとき、その表示からトラブルの原因を容易に類推することを可能にすると共に、その表示に基づいてトラブルの原因になると思われる状況を改善，除去する措置などの対応を容易にすることを可能にしたパソコンの現況を使用者に直接認識させるための表示装置を提供することをその課題とするものである。
【０００６】
【課題を解決するための手段】
上記課題を解決することを目的としてなされた本考案表示装置の構成は、パソコン等のコンピュータにおける少なくともメモリとハードディスクの稼動率などを、それらの容量に対する記憶データ量の比率などを示す数値表示などによって液晶パネル等により形成した表示部に表示させるようにしたことを特徴とするものである。
【０００７】
本考案表示装置では、上記メモリやハードディスクの現在の使用量やそれらの温度のほか、現在のＣＰＵの使用量や温度、当該パソコン等を使用した各送，受信における夫々のデータ量、通信網への接続表示と接続時間、当該パソコン等の本体の内部温度、空冷ファンの稼動状態、未読メールの有無、ＵＳＢ接続状況、時刻、スピーカの音響レベルなどの表示のうち少なくとも一つ乃至全部を表示させるようにしてもよい。なお、前記表示には、前記の例以外にＨＤＤやＣＤ／ＤＶＤドライバのアクセス中の表示を含むこともある。
【０００８】
上記の本考案表示装置の表示部は、一例として５インチ程度の液晶パネルにより形成すると共に、その表示面に上記各表示事項の表示エリアを設定し、この表示部をパソコン等の、例えばタワー型本体の前面に着脱可能な掛止手法などにより配置したり、スタンド型で前記パソコン本体の脇などに立てて配置することができるように形成する。なお、液晶パネルは、ＬＥＤ，ＬＣＤのいずれで形成されたものでもよく、またこれら以外の表示要素により形成したパネル状表示部としてもよい。
【０００９】
上記表示部とパソコン本体とは、接続コードとコネクタ等の接続器材を介して離，接自在に接続できる構造が望ましいが、パソコン本体に離脱できない固定接続形態で設けてもよい。なお、表示部の液晶パネルの大きさは、表示の見易さと設置スペースとの兼合いを見て設定するので、上記例の５インチのパネルに限られるものではない。
【００１０】
本考案において、上記表示部は、パソコン等のコンピュータが具備したＣＲＴや液晶画面などのディスプレイ画面の一角に配置する構成としてもよい。また、各表示事項の表示は、数値又は適宜形式のグラフ表示により行い、かつ、表示内容に対応して表示色を変えて表示するように形成すると、表示が見易く、表示内容の判読，理解も容易になる。
【００１１】
【考案の実施の形態】
次に本考案表示装置の実施の形態例について図に拠り説明する。図１は本考案表示装置の一例をパソコン本体の正面に装着した状態の正面図、図２は図１の本考案表示装置の構成を模式的に表現した正面図、図３は本考案表示装置における各表示とパソコン本体の内部構成との関係を模式的に示したブロック図である。
【００１２】
図１において、１はいわゆるデスクトップタイプのタワー型と称されているパソコン本体で、通常、図１には示さないが、出力装置としての表示画面やスピーカなど、及び、入力装置としてのキーボードやマウスなどが接続されている。
【００１３】
上記パソコン本体１は、通常、その前面パネル１ＰにＦＤやＣＤ，ＣＤ−ＲＯＭなどの外部媒体のドライバへの挿脱部１ａ，１ｂなど、並びに、メインスイッチ１ｃ，リセットスイッチ１ｄ，パイロットランプ１ｅ，外部接続端子やコネクタなどが配設されている。
【００１４】
本考案では、上記パソコン本体１の前面パネル１Ｐにおいて、既設の諸設備や操作部などの邪魔にならない部位に、本考案表示装置ＤＰを配置する。ここでは一例として５インチ程度の液晶パネルにより形成した表示部２を着脱可能に前面パネル１Ｐに設けたものである。以下、この表示部２の具体的構成の一例について図２により説明する。なお、表示部２の着脱可能な配置は、面ファスナや係止フックとフック受などの公知係止手段から任意に選択するものとする。
【００１５】
前記液晶パネルによる表示部２は、図２に示した例では、表示面の上部に、電源オン，オフ表示２ａ、ＨＤＤのアクセス表示２ｂ、ＣＤ／ＤＶＤのアクセス表示２ｃ、未読（未開）メール有の表示２ｄ、ネットワーク接続表示２ｅを横一列に配し、その下段に、ＣＰＵ，メインボード，ＨＤＤの各温度表示３ａ，３ｂ，３ｃを横列して配すると共に、その下に、ＣＰＵ，メモリ，ＨＤＤの各稼動率（各使用率）の表示３ｄ，３ｅ，３ｆを配設している。また、図２の例では、前記各表示３ａ〜３ｆの脇の表示面に、世界の時刻やＵＳＢ接続時間、通信データ量などの表示エリア４を配置すると共に、表示面の右側に左，右チャンネルの音響レベル表示５を配置している。
【００１６】
なお、上記表示部２における各表示２ａ〜２ｅ，３ａ〜３ｆ，４，５の配置やそれらの割り振り、或は、表示形態は、図示したものは一例であって、本考案表示装置ＤＰは図示した例に限られるものではない。また、上記表示部２は、独立した液晶パネルによる画面として形成したが、本考案ではパソコン本体１がその出力装置として具備した例えば大形ディスプレイの一角に、表示部２を区画して本考案表示装置ＤＰに形成してもよい。
【００１７】
図３は、上記の本考案表示装置ＤＰの各表示２ａ〜２ｅ、３ａ〜３ｆ、４，５とパソコン本体１におけるハードウエア並びにソフトウエアの構成の関係の一例を説明するためのブロック図である。
【００１８】
【考案の効果】
本考案は以上の通りであって、パソコンにおけるハード構成側の現在の状況を一目すれば誰でも判るように表示し、当該パソコンの現在の動作状況や動作環境を常時表示するため、パソコン本体に少なくともメモリとハードディスクの稼動率などを、それらの容量に対する記憶データ量の比率などを示す数値表示などによって液晶パネル等により形成した表示装置を設けるようにしたので、当該パソコンの稼動状況を使用者自身が多方面から常時監視，チェックすることが可能になり、従って、パソコンが動作不良を起こすような状況になった場合事前にそれに対処でき、万一フリーズ状態等の動作不良を起こしてもその原因を容易に探知できるという、従来パソコンにはない良好な使い勝手を得ることができる。
【図面の簡単な説明】
【図１】本考案表示装置の一例をパソコン本体の正面に装着した状態の正面図
【図２】図１の本考案表示装置の構成を模式的に表現した正面図
【図３】本考案表示装置における各表示とパソコン本体の内部構成との関係を模式的に示したブロック図
【符号の説明】
１　　　　パソコン本体
１ａ，１ｂ　　ドライバへの挿脱部
１ｃ　　　　メインスイッチ
１ｄ　　　　リセットスイッチ
１ｅ　　　　パイロットランプ
２　　　　表示部
３ａ〜３ｆ　　稼動率の表示
４　　　　表示エリア
５　　　　音響レベル表示
【図１】
0003097022.tif 000003
【図２】
0003097022.tif 000004
【図３】
0003097022.tif 000005
【手続補正書】
【提出日】平成15年3月12日(2003.3.12)
【手続補正１】
【補正対象書類名】明細書
【補正対象項目名】全文
【補正方法】変更
【補正の内容】
【考案の詳細な説明】
【実用新案登録請求の範囲】
【請求項１】パソコン等のコンピュータに接続される液晶パネル等の表示手段によって表示部を形成し、該表示部に、前記コンピュータにおける少なくともメモリとハードディスクの稼動率などを、それらの容量に対する記憶データ量の比率などを示す数値などによって表示させるようにしたことを特徴とするコンピュータの現在状況の表示装置。
【請求項２】表示部には、前記メモリ，ハードディスクの現在状況のほか、現在のＣＰＵの稼動率、当該パソコン等を使用した送，受信における夫々のデータ量、通信網への接続時間、当該パソコン等の本体の内部温度、空冷ファンの稼動状態などの少なくとも一つ乃至全部をそれぞれ表示させるようにした請求項１のコンピュータの現在状況の表示装置。
【請求項３】表示部は、５インチ程度の液晶パネルにより形成すると共に、その表示面に上記各表示事項の表示エリアを設定し、この表示部をパソコン等の本体前面に着脱可能な掛止手段などにより配置するようにした請求項１又は２のコンピュータの現在状況の表示装置。
【請求項４】表示部は、スタンドを設けてコンピュータ近傍に立てて配置できるように形成した請求項１又は２のコンピュータの現在状況の表示装置。
【請求項５】表示部は、パソコン等の本体に離，切自在に接続するための接続コードを具備した請求項３又は４のコンピュータの現在状況の表示装置。
【請求項６】表示部は、パソコン等のコンピュータが具備したＣＲＴや液晶画面などのディスプレイ画面の一部を区画して形成した請求項１又は２のコンピュータの現在状況の表示装置。
【請求項７】表示部は、表示色を変更できるように形成した請求項１〜６のいずれかのコンピュータの現在状況の表示装置。
【考案の詳細な説明】
【０００１】
【考案の属する技術分野】
本考案はコンピュータ、特にパーソナルコンピュータ（以下、パソコンという）に適用して好適な当該パソコンを含むコンピュータのハード構成部材の現在状況を、外部から視れば直ちに判読することができるようにした表示装置に関する。
【０００２】
【従来の技術】
コンピュータはその考案から発展の歴史を見ると、きわめて専門的かつ高度な技術分野において発祥し、時代の経過と共にミニコンピュータ、パソコンと普及して来た関係もあって、一人一台といわれるパソコン時代の今日においても、そのハード構成については、一般のいわゆる家電製品やオーディオ，ビデオ製品のように、いわば素人が容易に取扱えるレベルにはない。
【０００３】
しかし、パソコンでは、例えばメモリの容量やハードディスクの容量が抱和近くになると、動作トラブルが多発することが経験的に知られているが、当該パソコンの使用者は前記メモリやハードディスクの容量がどれ程あるのか、或は、現在そのメモリやハードディスクにどの程度の量のデータが入っているのかとか、どの程度の余裕容量があるかなどの認識が無かったり、或は、使用時にかかる事項を意識することが少ないため、実際には使用時にメモリやハードディスクの容量オーバ等に起因する動作トラブルが生じることを知るに止まっている。
【０００４】
パソコンの動作トラブルは、上記メモリやハードディスクの容量に起因するのみならず、他の要因によるものも多いが、パソコン使用者はそのようなトラブルが何故発生したかを知ることは、殆んどできないでいる。それはパソコンの動作トラブルの大半が、そのパソコンがいわゆるフリーズ状態になって全く動作しなくなり、原因の何如に拘らず、再起動により対処するのが大半だからである。しかし、再起動しても動作トラブルの原因が除去，改善されなければ、やがて再びフリーズしてしまうこともしばしばである。
【０００５】
【考案が解決しようとする課題】
そこで本考案は、コンピュータ、特にパソコンにおけるハード構成側の現在の状況を一目すれば誰でも判るように表示し、当該パソコンの現在の動作状況や動作環境を常時表示することにより、仮にも動作トラブルが生じたとき、その表示からトラブルの原因を容易に類推することを可能にすると共に、その表示に基づいてトラブルの原因になると思われる状況を改善，除去する措置などの対応を容易にすることを可能にしたパソコンの現況を使用者に直接認識させるための表示装置を提供することをその課題とするものである。
【０００６】
【課題を解決するための手段】
上記課題を解決することを目的としてなされた本考案表示装置の構成は、パソコン等のコンピュータに接続される液晶パネル等の表示手段によって表示部を形成し、該表示部に、前記コンピュータにおける少なくともメモリとハードディスクの稼動率などを、それらの容量に対する記憶データ量の比率などを示す数値などによって表示させるようにしたことを特徴とするものである。
【０００７】
本考案表示装置では、上記メモリやハードディスクの現在の使用量やそれらの温度のほか、現在のＣＰＵの使用量や温度、当該パソコン等を使用した各送，受信における夫々のデータ量、通信網への接続表示と接続時間、当該パソコン等の本体の内部温度、空冷ファンの稼動状態、未読メールの有無、ＵＳＢ接続状況、時刻、スピーカの音響レベルなどの表示のうち少なくとも一つ乃至全部を表示させるようにしてもよい。なお、前記表示には、前記の例以外にＨＤＤやＣＤ／ＤＶＤドライバのアクセス中の表示を含むこともある。
【０００８】
上記の本考案表示装置の表示部は、一例として５インチ程度の液晶パネルにより形成すると共に、その表示面に上記各表示事項の表示エリアを設定し、この表示部をパソコン等の、例えばタワー型本体の前面に着脱可能な掛止手法などにより配置したり、スタンド型で前記パソコン本体の脇などに立てて配置することができるように形成する。なお、液晶パネルは、ＬＥＤ，ＬＣＤのいずれで形成されたものでもよく、またこれら以外の表示要素により形成したパネル状表示部としてもよい。
【０００９】
上記表示部とパソコン本体とは、接続コードとコネクタ等の接続器材を介して離，接自在に接続できる構造が望ましいが、パソコン本体に離脱できない固定接続形態で設けてもよい。なお、表示部の液晶パネルの大きさは、表示の見易さと設置スペースとの兼合いを見て設定するので、上記例の５インチのパネルに限られるものではない。
【００１０】
本考案において、上記表示部は、パソコン等のコンピュータが具備したＣＲＴや液晶画面などのディスプレイ画面の一角に配置する構成としてもよい。また、各表示事項の表示は、数値又は適宜形式のグラフ表示により行い、かつ、表示内容に対応して表示色を変えて表示するように形成すると、表示が見易く、表示内容の判読，理解も容易になる。
【００１１】
【考案の実施の形態】
次に本考案表示装置の実施の形態例について図に拠り説明する。図１は本考案表示装置の一例をパソコン本体の正面に装着した状態の正面図、図２は図１の本考案表示装置の構成を模式的に表現した正面図、図３は本考案表示装置における各表示とパソコン本体の内部構成との関係を模式的に示したブロック図である。
【００１２】
図１において、１はいわゆるデスクトップタイプのタワー型と称されているパソコン本体で、通常、図１には示さないが、出力装置としての表示画面やスピーカなど、及び、入力装置としてのキーボードやマウスなどが接続されている。
【００１３】
上記パソコン本体１は、通常、その前面パネル１ＰにＦＤやＣＤ，ＣＤ−ＲＯＭなどの外部媒体のドライバへの挿脱部１ａ，１ｂなど、並びに、メインスイッチ１ｃ，リセットスイッチ１ｄ，パイロットランプ１ｅ，外部接続端子やコネクタなどが配設されている。
【００１４】
本考案では、上記パソコン本体１の前面パネル１Ｐにおいて、既設の諸設備や操作部などの邪魔にならない部位に、本考案表示装置ＤＰを配置する。ここでは一例として５インチ程度の液晶パネルにより形成した表示部２を着脱可能に前面パネル１Ｐに設けたものである。以下、この表示部２の具体的構成の一例について図２により説明する。なお、表示部２の着脱可能な配置は、面ファスナや係止フックとフック受などの公知係止手段から任意に選択するものとする。
【００１５】
前記液晶パネルによる表示部２は、図２に示した例では、表示面の上部に、電源オン，オフ表示２ａ、ＨＤＤのアクセス表示２ｂ、ＣＤ／ＤＶＤのアクセス表示２ｃ、未読（未開）メール有の表示２ｄ、ネットワーク接続表示２ｅを横一列に配し、その下段に、ＣＰＵ，メインボード，ＨＤＤの各温度表示３ａ，３ｂ，３ｃを横列して配すると共に、その下に、ＣＰＵ，メモリ，ＨＤＤの各稼動率（各使用率）の表示３ｄ，３ｅ，３ｆを配設している。また、図２の例では、前記各表示３ａ〜３ｆの脇の表示面に、世界の時刻やＵＳＢ接続時間、通信データ量などの表示エリア４を配置すると共に、表示面の右側に左，右チャンネルの音響レベル表示５を配置している。
【００１６】
なお、上記表示部２における各表示２ａ〜２ｅ，３ａ〜３ｆ，４，５の配置やそれらの割り振り、或は、表示形態は、図示したものは一例であって、本考案表示装置ＤＰは図示した例に限られるものではない。また、上記表示部２は、独立した液晶パネルによる画面として形成したが、本考案ではパソコン本体１がその出力装置として具備した例えば大形ディスプレイの一角に、表示部２を区画して本考案表示装置ＤＰに形成してもよい。
【００１７】
図３は、上記の本考案表示装置ＤＰの各表示２ａ〜２ｅ、３ａ〜３ｆ、４，５とパソコン本体１におけるハードウエア並びにソフトウエアの構成の関係の一例を説明するためのブロック図である。
【００１８】
【考案の効果】
本考案は以上の通りであって、パソコンにおけるハード構成側の現在の状況を一目すれば誰でも判るように表示し、当該パソコンの現在の動作状況や動作環境を常時表示するため、パソコン本体に少なくともメモリとハードディスクの稼動率などを、それらの容量に対する記憶データ量の比率などを示す数値表示などによって液晶パネル等により形成した表示装置を設けるようにしたので、当該パソコンの稼動状況を使用者自身が多方面から常時監視，チェックすることが可能になり、従って、パソコンが動作不良を起こすような状況になった場合事前にそれに対処でき、万一フリーズ状態等の動作不良を起こしてもその原因を容易に探知できるという、従来パソコンにはない良好な使い勝手を得ることができる。
【図面の簡単な説明】
【図１】本考案表示装置の一例をパソコン本体の正面に装着した状態の正面図
【図２】図１の本考案表示装置の構成を模式的に表現した正面図
【図３】本考案表示装置における各表示とパソコン本体の内部構成との関係を模式的に示したブロック図
【符号の説明】
１　　　　パソコン本体
１ａ，１ｂ　　ドライバへの挿脱部
１ｃ　　　　メインスイッチ
１ｄ　　　　リセットスイッチ
１ｅ　　　　パイロットランプ
２　　　　表示部
３ａ〜３ｆ　　稼動率の表示
４　　　　表示エリア
５　　　　音響レベル表示
【手続補正書】
【提出日】平成15年5月22日(2003.5.22)
【手続補正１】
【補正対象書類名】明細書
【補正対象項目名】全文
【補正方法】変更
【補正の内容】
【考案の詳細な説明】
【実用新案登録請求の範囲】
【請求項１】コンピュータに接続されるパネル状表示手段によって表示部を形成し、該表示部に、前記コンピュータにおける少なくともメモリとハードディスクの稼動率を、それらの容量に対する記憶データ量の比率を示す少なくとも数値によって表示させるようにしたことを特徴とするコンピュータの現在状況の表示装置。
【請求項２】表示部には、前記メモリ，ハードディスクの現在状況のほか、現在のＣＰＵの稼動率、当該パソコン等を使用した送，受信における夫々のデータ量、通信網への接続時間、当該コンピュータの本体の少なくとも内部温度、空冷ファンの稼動状態を表示させるようにした請求項１のコンピュータの現在状況の表示装置。
【請求項３】表示部は、５インチ程度の液晶パネルにより形成すると共に、その表示面に上記各表示事項の表示エリアを設定し、この表示部をコンピュータの本体前面に着脱可能な掛止手段により配置するようにした請求項１又は２のコンピュータの現在状況の表示装置。
【請求項４】表示部は、スタンドを設けてコンピュータ近傍に立てて配置できるように形成した請求項１又は２のコンピュータの現在状況の表示装置。
【請求項５】表示部は、コンピュータの本体に離，切自在に接続するための接続コードを具備した請求項３又は４のコンピュータの現在状況の表示装置。
【請求項６】表示部は、コンピュータが具備したディスプレイ画面の一部を区画して形成した請求項１又は２のコンピュータの現在状況の表示装置。
【請求項７】表示部は、表示色を変更できるように形成した請求項１〜６のいずれかのコンピュータの現在状況の表示装置。
【考案の詳細な説明】
【０００１】
【考案の属する技術分野】
本考案はコンピュータ、特にパーソナルコンピュータ（以下、パソコンという）に適用して好適な当該パソコンを含むコンピュータのハード構成部材の現在状況を、外部から視れば直ちに判読することができるようにした表示装置に関する。
【０００２】
【従来の技術】
コンピュータはその考案から発展の歴史を見ると、きわめて専門的かつ高度な技術分野において発祥し、時代の経過と共にミニコンピュータ、パソコンと普及して来た関係もあって、一人一台といわれるパソコン時代の今日においても、そのハード構成については、一般のいわゆる家電製品やオーディオ，ビデオ製品のように、いわば素人が容易に取扱えるレベルにはない。
【０００３】
しかし、パソコンでは、例えばメモリの容量やハードディスクの容量が抱和近くになると、動作トラブルが多発することが経験的に知られているが、当該パソコンの使用者は前記メモリやハードディスクの容量がどれ程あるのか、或は、現在そのメモリやハードディスクにどの程度の量のデータが入っているのかとか、どの程度の余裕容量があるかなどの認識が無かったり、或は、使用時にかかる事項を意識することが少ないため、実際には使用時にメモリやハードディスクの容量オーバ等に起因する動作トラブルが生じることを知るに止まっている。
【０００４】
パソコンの動作トラブルは、上記メモリやハードディスクの容量に起因するのみならず、他の要因によるものも多いが、パソコン使用者はそのようなトラブルが何故発生したかを知ることは、殆んどできないでいる。それはパソコンの動作トラブルの大半が、そのパソコンがいわゆるフリーズ状態になって全く動作しなくなり、原因の何如に拘らず、再起動により対処するのが大半だからである。しかし、再起動しても動作トラブルの原因が除去，改善されなければ、やがて再びフリーズしてしまうこともしばしばである。
【０００５】
【考案が解決しようとする課題】
そこで本考案は、コンピュータ、特にパソコンにおけるハード構成側の現在の状況を一目すれば誰でも判るように表示し、当該パソコンの現在の動作状況や動作環境を常時表示することにより、仮にも動作トラブルが生じたとき、その表示からトラブルの原因を容易に類推することを可能にすると共に、その表示に基づいてトラブルの原因になると思われる状況を改善，除去する措置などの対応を容易にすることを可能にしたパソコンの現況を使用者に直接認識させるための表示装置を提供することをその課題とするものである。
【０００６】
【課題を解決するための手段】
上記課題を解決することを目的としてなされた本考案表示装置の構成は、コンピュータに接続されるパネル状表示手段によって表示部を形成し、該表示部に、前記コンピュータにおける少なくともメモリとハードディスクの稼動率を、それらの容量に対する記憶データ量の比率を示す少なくとも数値によって表示させるようにしたことを特徴とするものである。
【０００７】
本考案表示装置では、上記メモリやハードディスクの現在の使用量やそれらの温度のほか、現在のＣＰＵの使用量や温度、当該パソコン等を使用した各送，受信における夫々のデータ量、通信網への接続表示と接続時間、当該パソコン等の本体の内部温度、空冷ファンの稼動状態、未読メールの有無、ＵＳＢ接続状況、時刻、スピーカの音響レベルなどの表示のうち少なくとも一つ乃至全部を表示させるようにしてもよい。なお、前記表示には、前記の例以外にＨＤＤやＣＤ／ＤＶＤドライバのアクセス中の表示を含むこともある。
【０００８】
上記の本考案表示装置の表示部は、一例として５インチ程度の液晶パネルにより形成すると共に、その表示面に上記各表示事項の表示エリアを設定し、この表示部をパソコン等の、例えばタワー型本体の前面に着脱可能な掛止手法などにより配置したり、スタンド型で前記パソコン本体の脇などに立てて配置することができるように形成する。なお、液晶パネルは、ＬＥＤ，ＬＣＤのいずれで形成されたものでもよく、またこれら以外の表示要素により形成したパネル状表示部としてもよい。
【０００９】
上記表示部とパソコン本体とは、接続コードとコネクタ等の接続器材を介して離，接自在に接続できる構造が望ましいが、パソコン本体に離脱できない固定接続形態で設けてもよい。なお、表示部の液晶パネルの大きさは、表示の見易さと設置スペースとの兼合いを見て設定するので、上記例の５インチのパネルに限られるものではない。
【００１０】
本考案において、上記表示部は、パソコン等のコンピュータが具備したＣＲＴや液晶画面などのディスプレイ画面の一角に配置する構成としてもよい。また、各表示事項の表示は、数値又は適宜形式のグラフ表示により行い、かつ、表示内容に対応して表示色を変えて表示するように形成すると、表示が見易く、表示内容の判読，理解も容易になる。
【００１１】
【考案の実施の形態】
次に本考案表示装置の実施の形態例について図に拠り説明する。図１は本考案表示装置の一例をパソコン本体の正面に装着した状態の正面図、図２は図１の本考案表示装置の構成を模式的に表現した正面図、図３は本考案表示装置における各表示とパソコン本体の内部構成との関係を模式的に示したブロック図である。
【００１２】
図１において、１はいわゆるデスクトップタイプのタワー型と称されているパソコン本体で、通常、図１には示さないが、出力装置としての表示画面やスピーカなど、及び、入力装置としてのキーボードやマウスなどが接続されている。
【００１３】
上記パソコン本体１は、通常、その前面パネル１ＰにＦＤやＣＤ，ＣＤ−ＲＯＭなどの外部媒体のドライバへの挿脱部１ａ，１ｂなど、並びに、メインスイッチ１ｃ，リセットスイッチ１ｄ，パイロットランプ１ｅ，外部接続端子やコネクタなどが配設されている。
【００１４】
本考案では、上記パソコン本体１の前面パネル１Ｐにおいて、既設の諸設備や操作部などの邪魔にならない部位に、本考案表示装置ＤＰを配置する。ここでは一例として５インチ程度の液晶パネルにより形成した表示部２を着脱可能に前面パネル１Ｐに設けたものである。以下、この表示部２の具体的構成の一例について図２により説明する。なお、表示部２の着脱可能な配置は、面ファスナや係止フックとフック受などの公知係止手段から任意に選択するものとする。
【００１５】
前記液晶パネルによる表示部２は、図２に示した例では、表示面の上部に、電源オン，オフ表示２ａ、ＨＤＤのアクセス表示２ｂ、ＣＤ／ＤＶＤのアクセス表示２ｃ、未読（未開）メール有の表示２ｄ、ネットワーク接続表示２ｅを横一列に配し、その下段に、ＣＰＵ，メインボード，ＨＤＤの各温度表示３ａ，３ｂ，３ｃを横列して配すると共に、その下に、ＣＰＵ，メモリ，ＨＤＤの各稼動率（各使用率）の表示３ｄ，３ｅ，３ｆを配設している。また、図２の例では、前記各表示３ａ〜３ｆの脇の表示面に、世界の時刻やＵＳＢ接続時間、通信データ量などの表示エリア４を配置すると共に、表示面の右側に左，右チャンネルの音響レベル表示５を配置している。
【００１６】
なお、上記表示部２における各表示２ａ〜２ｅ，３ａ〜３ｆ，４，５の配置やそれらの割り振り、或は、表示形態は、図示したものは一例であって、本考案表示装置ＤＰは図示した例に限られるものではない。また、上記表示部２は、独立した液晶パネルによる画面として形成したが、本考案ではパソコン本体１がその出力装置として具備した例えば大形ディスプレイの一角に、表示部２を区画して本考案表示装置ＤＰに形成してもよい。
【００１７】
図３は、上記の本考案表示装置ＤＰの各表示２ａ〜２ｅ、３ａ〜３ｆ、４，５とパソコン本体１におけるハードウエア並びにソフトウエアの構成の関係の一例を説明するためのブロック図である。
【００１８】
【考案の効果】
本考案は以上の通りであって、パソコンにおけるハード構成側の現在の状況を一目すれば誰でも判るように表示し、当該パソコンの現在の動作状況や動作環境を常時表示するため、パソコン本体に少なくともメモリとハードディスクの稼動率などを、それらの容量に対する記憶データ量の比率などを示す数値表示などによって液晶パネル等により形成した表示装置を設けるようにしたので、当該パソコンの稼動状況を使用者自身が多方面から常時監視，チェックすることが可能になり、従って、パソコンが動作不良を起こすような状況になった場合事前にそれに対処でき、万一フリーズ状態等の動作不良を起こしてもその原因を容易に探知できるという、従来パソコンにはない良好な使い勝手を得ることができる。
【図面の簡単な説明】
【図１】本考案表示装置の一例をパソコン本体の正面に装着した状態の正面図
【図２】図１の本考案表示装置の構成を模式的に表現した正面図
【図３】本考案表示装置における各表示とパソコン本体の内部構成との関係を模式的に示したブロック図
【符号の説明】
１　　　　パソコン本体
１ａ，１ｂ　　ドライバへの挿脱部
１ｃ　　　　メインスイッチ
１ｄ　　　　リセットスイッチ
１ｅ　　　　パイロットランプ
２　　　　表示部
３ａ〜３ｆ　　稼動率の表示
４　　　　表示エリア
５　　　　音響レベル表示